(57)【要約】      （修正有）【課題】携帯可能な物品の取り出し動作を片手で容易に行なうことができ、携帯性の向上を図ることのできる物品収納ケースを提供する。【解決手段】本考案は、形態可能な物品を収納するための物品収納ケース１０であって、携帯可能な物品１４を縦方向のスライド操作により出し入れ可能なように形成された収納凹部を備え、収納凹部の上部には出入口が開口されている一方、収納凹部の下部には携帯可能な物品１４の底面の略中央部１９と該底面の少なくとも左右いずれか一方の端部２０とが露出するように切欠部が形成されており、収容凹部は、左右の幅寸法が上部から下部に向かって次第に狭くなるように形成され、下部における左右の幅寸法は、携帯可能な物品１４の左右の幅に略一致又は該左右の幅より僅かに狭くなるように形成されていることを特徴とする。【選択図】図１
0003135519.tif 000002
【実用新案登録請求の範囲】
【請求項１】
携帯可能な物品を収納するための物品収納ケースであって、
前記携帯可能な物品を縦方向のスライド操作により出し入れ可能なように形成された収納凹部を備え、該収納凹部の上部には出入口が開口されている一方、前記収納凹部の下部には前記携帯可能な物品の底面の略中央部と該底面の少なくとも左右いずれか一方の端部とが露出するように切欠部が形成されており、前記収容凹部は、左右の幅寸法が上部から下部に向かって次第に狭くなるように形成され、下部における左右の幅寸法は、前記携帯可能な物品の左右の幅に略一致又は該左右の幅より僅かに狭くなるように形成されていることを特徴とする物品収納ケース。
【請求項２】
前記携帯可能な物品は煙草を収容するボックス型容器である請求項１に記載の物品収納ケース。
【請求項３】
前記収容凹部は、前記ボックス型容器を収納した状態では前記ボックス型容器の上部の蓋の開閉を規制するように形成されていると共に、切欠部を介して前記ボックス型容器の底面の左右いずれか一方の端部を押し込んで前記ボックス型容器を上方にスライドさせた状態では前記蓋の開閉を許容するように形成されている請求項２に記載の物品収納ケース。
【請求項４】
上端部にはストラップ取付部が設けられている請求項１〜３のいずれか１の請求項に記載の物品収納ケース。
【請求項５】
葉の形状を成している請求項１〜４のいずれか１の請求項に記載の物品収納ケース。
【考案の詳細な説明】
【技術分野】
【０００１】
本考案は、煙草を収容したボックス型容器等の携帯可能な物品を収納するための物品収納ケースに関する。
【背景技術】
【０００２】
一般に、煙草は、複数本単位でボックス型容器等の紙製の煙草箱に収納されて市販されている。そして、喫煙者は、このような煙草箱をポケットやバッグ等に格納して携帯し、喫煙の度にポケットやバッグ等から煙草箱を取り出し、さらに該煙草箱から煙草を１本ずつ取り出して喫煙している。
【０００３】
このように煙草箱は紙製で堅固なものではないため、ポケットやバッグ等に格納して携帯している間や、ポケットやバッグ等から取り出す時に、外部から煙草箱に物理的な力が作用することにより煙草箱が圧潰又は破損し、該煙草箱から煙草を取り出し難くなることがあった。
【０００４】
そこで、このような問題を解決するため、煙草箱を収納する煙草ケースが各種提案されている。
【０００５】
この種の従来のケースとしては、例えば、所定の煙草箱の大きさにほぼ対応した内法幅員を備えたほぼボックス状の剛性のケース本体を形成し、このケース本体の左右の側壁のいずれか一方には、煙草箱をその側方向でのスライド操作によって収納させるスライド出入口を開口形成し、いずれか他方には、ケース本体内に収納した煙草箱を、ケース本体外からの手指等の挿入押圧等によって押し出すための押圧口を開口形成した煙草箱収納ケースが知られている（例えば、特許文献１参照）。
【特許文献１】実開平７−２２８２号公報
【考案の開示】
【考案が解決しようとする課題】
【０００６】
しかしながら、上記した従来のケースでは、煙草箱が側方向にスライドするように構成されているため、煙草箱がボックス型容器の場合には、ケースから煙草箱を完全に取り出さないと、ボックス型容器の上部の蓋を開閉することができない。そのため、喫煙時にケースから煙草箱を取り出す動作を片手で行なうことができず、煙草箱の取り出し動作を容易に行うことができないといった問題があった。
【０００７】
また、上記した従来のケースは、バッグ等に格納して携帯することを前提としているため、携帯性を高めることができないといった問題もあった。
【０００８】
本考案は、上記した課題を解決すべくなされたものであり、煙草箱等の携帯可能な物品の取り出し動作を片手で容易に行なうことができ、携帯性の向上を図ることのできる物品収納ケースを提供することを目的とするものである。
【課題を解決するための手段】
【０００９】
上記した目的を達成するため、本考案は、携帯可能な物品を収納するための物品収納ケースであって、前記携帯可能な物品を縦方向のスライド操作により出し入れ可能なように形成された収納凹部を備え、該収納凹部の上部には出入口が開口されている一方、前記収納凹部の下部には前記携帯可能な物品の底面の略中央部と該底面の少なくとも左右いずれか一方の端部とが露出するように切欠部が形成されており、前記収容凹部は、左右の幅寸法が上部から下部に向かって次第に狭くなるように形成され、下部における左右の幅寸法は、前記携帯可能な物品の左右の幅に略一致又は該左右の幅より僅かに狭くなるように形成されていることを特徴とする。
【００１０】
そして、前記携帯可能な物品は煙草を収容するボックス型容器であってもよい。
【００１１】
また、前記収容凹部は、前記ボックス型容器を収納した状態では前記ボックス型容器の上部の蓋の開閉を規制するように形成されていると共に、切欠部を介して前記ボックス型容器の底面の左右いずれか一方の端部を押し込んで前記ボックス型容器を上方にスライドさせた状態では前記蓋の開閉を許容するように形成されていてもよい。
【００１２】
また、上端部にはストラップ取付部が設けられていてもよい。
【００１３】
さらに、前記物品収納ケースは、葉の形状を成していてもよい。
【考案の効果】
【００１４】
本考案によれば、携帯可能な物品を物品収納ケースから取り出したり、物品収納ケースに収納させたりする動作を片手で簡単に行うことができる。
【考案を実施するための最良の形態】
【００１５】
以下、図面を参照しつつ、本考案の実施の形態について説明する。なお、以下の説明では、携帯可能な物品としてのボックス型容器１４を煙草ケース１０に収納する場合について例示して説明する。ここで、図１は本考案の実施の形態に係る煙草ケースを示す正面図、図２は同煙草ケースを示す平面図、図３は同煙草ケースを示す底面図である。
【００１６】
本発明の実施の形態に係る煙草ケース１０は、いずれも木製で前後に対向して配設された前板１１及び後板１２と、該前板１１及び後板１２の上端部に取り付けられた金属製で軸状のストラップ取付部１３とを主体に構成されている。前板１１及び後板１２は葉が傾斜した形状を成し、木目調の外観を有しており、前板１１と後板１２の間には、ボックス型容器１４が縦方向のスライド操作により出し入れ可能なように収納凹部１５が形成されている。
【００１７】
収納凹部１５は、左右の幅と前後の奥行き寸法がボックス型容器１４の左右の幅と前後の奥行き寸法にほぼ対応した内法寸法を有していると共に、高さがボックス型容器１４の高さより低くなるように形成されており、収納凹部１５にボックス型容器１４を収納した状態においてボックス型容器１４の上部の蓋１６が前板１１と後板１２との間に挟持され、蓋１６の開閉が規制されるようになっている。また、収容凹部１５は、左右の幅寸法が上部から下部に向かって次第に僅かに狭くなるように形成されており、下部の停止位置ＳＰにおける左右の幅寸法Ｗは、ボックス型容器１４の底面側角部が停止位置ＳＰで引っ掛かるように、ボックス型容器１４の左右の幅に略一致又は該左右の幅より僅かに（例えば１ｍｍ程度）狭くなるように形成されている。
【００１８】
収納凹部１５の上部には出入口１７が開口され、該出入口１７はボックス型容器１４の底面より僅かに大きい平面形状を成している。一方、収納凹部１５の下部には切欠部１８が形成されており、収納凹部１５にボックス型容器１４を収納した状態においてボックス型容器１４の底面の略中央部１９と該底面の一方（図示では正面視左側）の端部２０とが切欠部１８から露出し、該露出部分２１が正面視で略三角形状を成すようになっている。
【００１９】
このような構成を備えた煙草ケース１０は、ストラップ取付部１３に取り付けたストラップ（図示省略）を介してベルトやバック等に取り付けて携帯される。
【００２０】
そして、この煙草ケース１０に煙草のボックス型容器１４を収納させる場合、ボックス型容器１４を底面側から出入口１７を介して収納凹部１５内に挿入し、ボックス型容器１４の底面が収納凹部１５の底面部２２に当接するまでボックス型容器１４を縦方向にスライドさせることにより行う。
【００２１】
また、このように煙草ケース１０に収納されたボックス型容器１４から喫煙者が煙草を取り出そうとする場合、図１中の矢印Ａで示すように、ボックス型容器１４の底面の一方の端部２０を片手で上方に押し込む。そうすると、図４中の矢印Ａ’で示すように、ボックス型容器１４には斜め上方に向かって押圧力が作用し、ボックス型容器１４の他方（図示正面視右側）の側面２３は一方の端部２０から遠い方の収納凹部１５の他方の内側面２４に接しながら上方にスライドする。
【００２２】
その後、ボックス型容器１４の底面が下部の停止位置ＳＰに達すると、ボックス型容器１４の底面側角部が停止位置ＳＰで煙草ケース１０に引っ掛かることと、ボックス型容器１４の他方の側面２３と収納凹部１５の他方の内側面２４との間に摩擦力が生じることとが相俟って、ボックス型容器１４の上方へのスライド動作は停止される。そして、この停止位置では、ボックス型容器１４の蓋１６が完全に露出するようになっているため、喫煙者は片手で蓋を開放し、ボックス型容器１４から煙草を取り出すことができる。
【００２３】
そして、このように煙草を取り出した後、蓋を閉塞し、ボックス型容器１４の上端を下方に押し込むと、ボックス型容器１４は収納凹部１５内を下方にスライドし、元の収納位置に戻る。
【００２４】
さらに、喫煙者が煙草ケース１０に収納されたボックス型容器１４内の煙草をすべて吸い終わり、ボックス型容器１４自体を収納凹部１５から取り出そうとする場合には、図１中の矢印Ｂで示すように、ボックス型容器１４の底面の略中央部１９を上方に押し込む。そうすると、図５中の矢印Ｂ’で示すように、ボックス型容器１４には鉛直上方に向かって押圧力が作用し、ボックス型容器１４は他方の内側面２４に沿って上方にスライドし、ボックス型容器１４の底面が下部の停止位置ＳＰに達する。
【００２５】
しかし、この時、収容凹部１５の左右の幅寸法が下部より上部の方が広くなっており、図５に示すように、停止位置ＳＰより上方においてボックス型容器１４の両側面２３，２５と収納凹部の両内側面２４，２６との間にそれぞれ隙間が生じるため、両者の間に摩擦力が発生することはない。したがって、この停止位置ＳＰにおいて、ボックス型容器１４の上部を把持して上方に引っ張ると、ボックス型容器１４は、停止位置ＳＰで停止することなく、さらに上方に移動し、ボックス型容器１４を収納凹部１５から簡単に引き抜くことができる。
【００２６】
上記したように本発明の実施の形態に係る煙草ケース１０によれば、喫煙時にボックス型容器１４から煙草を取り出す際、ボックス型容器１４の底面の一方の端部２０を上方に押し込む動作や、ボックス型容器１４の蓋を開放する動作を片手で行なうことができる。また、ボックス型容器１４自体を収納凹部１５から取り出す際には、ボックス型容器１４の底面の略中央部１９を上方に押し込む動作や、ボックス型容器１４の上部を引っ張る動作を片手で行うことができる。したがって、煙草の取り出し動作やボックス型容器１４の取り出し動作を簡単に行うことができる。
【００２７】
さらに、この煙草ケース１０は、ストラップ取付部１３に取り付けたストラップによりベルトやバック等に取り付けて簡単に携帯することができるため、携帯性の向上を図ることができる。
【００２８】
なお、上記した実施の形態では、収納凹部１５にボックス型容器１４を収納した状態においてボックス型容器１４の底面の略中央部１９と該底面の一方の端部２０とが切欠部１８から露出するように形成されているが。これは単なる例示に過ぎず、切欠部１８はボックス型容器１４の底面の略中央部１９と該底面の少なくとも左右いずれか一方の端部とが露出するように形成されていれば、他の形状や構造を成していてもよい。
【００２９】
また、煙草ケース１０の形状、材質、外観等は、上記した形状や外観等に限定されるものではなく、各種変更が可能であることは言う迄もない。
【００３０】
さらに、上記した実施の形態ではボックス型容器１４を煙草ケース１０に収納する場合について説明したが、これは単なる例示に過ぎず、例えば、紙又はプラスチック又は金属等によりボックス型容器１４と略同一寸法に形成された内部用ケース（アジャスター）や、市販のソフトケース等の他のタイプの煙草容器の他、携帯電話、デジタルカメラ等の小型携帯機器を収納する場合にも本発明を適用することは可能である。
【図面の簡単な説明】
【００３１】
【図１】本考案の実施の形態に係る煙草ケースを示す正面図である。
【図２】本考案の実施の形態に係る煙草ケースを示す平面図である。
【図３】本考案の実施の形態に係る煙草ケースを示す底面図である。
【図４】本考案の実施の形態に係る煙草ケースから煙草箱を取り出す動作を示す正面図である。
【図５】本考案の実施の形態に係る煙草ケースから煙草箱を取り出す動作を示す正面図である。
【符号の説明】
【００３２】
１０          煙草ケース(物品収納ケース)
１３          ストラップ取付部
１４          ボックス型容器(携帯可能な物品)
１５          収納凹部
１６          蓋
１７          出入口
１８          切欠部
１９          略中央部
２０          一方の端部
【図１】
0003135519.tif 000003
【図２】
0003135519.tif 000004
【図３】
0003135519.tif 000005
【図４】
0003135519.tif 000006
【図５】
0003135519.tif 000007